【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
画像を複数の画素に分解して各画素の情報を表す画像データに対して所定の画像処理を行う画像処理装置であって、上記画像データにおける各画素の彩度の分布を集計する彩度分布集計手段と、この彩度分布集計手段にて集計された彩度の分布状況から画像データの彩度を変換する程度を判定する彩度変換度判定手段と、判定された変換の程度に基づいて画像データにおける彩度を表す情報を修正して新たな画像データに変換する画像データ変換手段とを具備することを特徴とする画像処理装置。
【請求項２】
上記請求項１に記載の画像処理装置において、各画素の彩度は色成分における暖色系の色相の彩度に応じて判定することを特徴とする画像処理装置。
【請求項３】
上記請求項１または請求項２のいずれかに記載の画像処理装置において、画像データの色成分を赤（＝Ｒ）、緑（＝Ｇ）、青（＝Ｂ）で表せるときに彩度（＝Ｘ）を次式で表すことを特徴とする画像処理装置。
Ｘ＝｜Ｇ＋Ｂ−２×Ｒ｜
【請求項４】
上記請求項１〜請求項３のいずれかに記載の画像処理装置において、画像データについて所定の抽出率に対応した間引きを行って彩度の分布状況を求めることを特徴とする画像処理装置。
【請求項５】
上記請求項４に記載の画像処理装置において、縦方向と横方向の範囲での短い側において所定の抽出数が確保されるようにすることを特徴とする画像処理装置。
【請求項６】
上記請求項１〜請求項５のいずれかに記載の画像処理装置において、上記彩度変換度判定手段は、集計された彩度の分布状況にて上端から所定割合となった彩度が小さい場合に彩度を強調するとともに、同彩度が大きい場合に彩度の強調程度を弱めるようにして彩度の変換程度を判定することを特徴とする画像処理装置。
【請求項７】
上記請求項１〜請求項６のいずれかに記載の画像処理装置において、輝度が低いときに彩度の変換程度を弱めることを特徴とする画像処理装置。
【請求項８】
上記請求項１〜請求項７のいずれかに記載の画像処理装置において、彩度分布に基づいて二値画像データを判定するとともに、二値画像データであれば彩度の変換を行わないことを特徴とする画像処理装置。
【請求項９】
上記請求項８に記載の画像処理装置において、無彩度に彩度分布が集中しているときに白黒の二値画像データであると判断することを特徴とする画像処理装置。
【請求項１０】
上記請求項１〜請求項９のいずれかに記載の画像処理装置において、突出する彩度分布に基づいて画像データの枠部を判定するとともに、枠部があれば枠部のデータについて彩度分布の検出に利用しないことを特徴とする画像処理装置。
【請求項１１】
上記請求項１０に記載の画像処理装置において、無彩度に集中している彩度分布が枠部であると判定することを特徴とする画像処理装置。
【請求項１２】
上記請求項１〜請求項１１のいずれかに記載の画像処理装置において、画像データが自然画でない場合に彩度の変換を行わないことを特徴とする画像処理装置。
【請求項１３】
上記請求項１２に記載の画像処理装置において、彩度分布がスペクトル状に存在する場合に上記画像データが自然画でないと判定する自然画判定手段を備えることを特徴とする画像処理装置。
【請求項１４】
上記請求項１〜請求項１３のいずれかに記載の画像処理装置において、彩度の変換は標準表色系であるＬｕｖ空間内で上記変換程度に応じて半径方向に変移させて行うことを特徴とする画像処理装置。
【請求項１５】
上記請求項１〜請求項１３のいずれかに記載の画像処理装置において、画像データが複数の概略対等な色相成分の成分値で示されるときに無彩度成分を除いた成分値を変換程度に応じて変移させて彩度の変換を行うことを特徴とする画像処理装置。
【請求項１６】
上記請求項１５に記載の画像処理装置において、複数の色相成分における最小成分値を他の成分値から差し引いた差分値を増減させて彩度の変換を行うことを特徴とする画像処理装置。
【請求項１７】
上記請求項１５に記載の画像処理装置において、各成分値から輝度の相当値を減算した差分値を増減させて彩度の変換を行うことを特徴とする画像処理装置。
【請求項１８】
画像を複数の画素に分解して各画素の情報を表した画像データに対して所定の画像処理を行う画像処理方法であって、各画素での彩度に基づいて全体としての彩度の分布を集計し、集計された彩度の分布状況から画像データの彩度を変換する程度を判定するとともに、判定された変換の程度に基づいて画像データにおける彩度を表す情報を修正して新たな画像データに変換することを特徴とする画像処理方法。
【請求項１９】
画像を複数の画素に分解して各画素の情報を表した画像データをコンピュータにて入力し、所定の画像処理を行う画像処理プログラムを記録した媒体であって、上記画像データを入力し、各画素での彩度に基づいて全体としての彩度の分布を集計するステップと、集計された彩度の分布状況から画像データの彩度を変換する程度を判定するステップと、判定された変換の程度に基づいて画像データにおける彩度を表す情報を修正して新たな画像データに変換するステップとを具備することを特徴とする画像処理プログラムを記録した媒体。
【手続補正２】
【補正対象書類名】明細書
【補正対象項目名】０００６
【補正方法】変更
【補正の内容】
【０００６】
【課題を解決するための手段】
上記目的を達成するため、請求項１にかかる発明は、画像を複数の画素に分解して各画素の情報を表す画像データに対して所定の画像処理を行う画像処理装置であって、上記画像データにおける各画素の彩度の分布を集計する彩度分布集計手段と、この彩度分布集計手段にて集計された彩度の分布状況から画像データの彩度を変換する程度を判定する彩度変換度判定手段と、判定された変換の程度に基づいて画像データにおける彩度を表す情報を修正して新たな画像データに変換する画像データ変換手段とを具備する構成としてある。
【手続補正３】
【補正対象書類名】明細書
【補正対象項目名】０００７
【補正方法】変更
【補正の内容】
【０００７】
上記のように構成した請求項１にかかる発明においては、画像データが画像を複数の画素に分解して各画素の情報を表している場合に、彩度分布集計手段が上記画像データにおける各画素の彩度の分布を集計すると、彩度変換度判定手段はこの彩度分布集計手段にて集計された彩度の分布状況から画像データの彩度を変換する程度を判定し、画像データ変換手段は判定された変換の程度に基づいて画像データにおける彩度を表す情報を修正して新たな画像データに変換する。すなわち、その画像ごとに画像データの彩度の分布から最適な変換程度を判定して変換する。
【手続補正４】
【補正対象書類名】明細書
【補正対象項目名】００４３
【補正方法】変更
【補正の内容】
【００４３】
上述したようにして、画像データにおける彩度の分布を集計して画像データを変換する手法は、実体のある装置に限定される必要はなく、その方法としても機能することは容易に理解できる。このため、請求項１８にかかる発明は、画像を複数の画素に分解して各画素の情報を表した画像データに対して所定の画像処理を行う画像処理方法であって、各画素での彩度に基づいて全体としての彩度の分布を集計し、集計された彩度の分布状況から画像データの彩度を変換する程度を判定するとともに、判定された変換の程度に基づいて画像データにおける彩度を表す情報を修正して新たな画像データに変換する構成としてある。
【手続補正５】
【補正対象書類名】明細書
【補正対象項目名】００４８
【補正方法】変更
【補正の内容】
【００４８】
発明の思想の具現化例として画像処理装置のソフトウェアとなる場合には、かかるソフトウェアを記録した記録媒体上においても当然に存在し、利用されるといわざるをえない。その一例として、請求項１９にかかる発明は、画像を複数の画素に分解して各画素の情報を表した画像データをコンピュータにて入力し、所定の画像処理を行う画像処理プログラムを記録した媒体であって、上記画像データを入力し、各画素での彩度に基づいて全体としての彩度の分布を集計するステップと、集計された彩度の分布状況から画像データの彩度を変換する程度を判定するステップと、判定された変換の程度に基づいて画像データにおける彩度を表す情報を修正して新たな画像データに変換するステップとを具備する構成としてある。